【事件の表示】
　特許第２９３２４１６号「換気乾燥機とその換気乾燥機の使用方法」の請求項２に係る特許に対する特許異議の申立てについて、次のとおり決定する。
【結　論】
　訂正を認める。
　本件特許異議の申立てを却下する。
【理　由】
１．手続の経緯
　特許出願　　　　　　　　　　　平成５年６月１４日
　特許権設定登録　　　　　　　　平成１１年５月２８日
　特許異議の申立て　　　　　　　平成１２年２月４日
　（申立人：松下精工株式会社）
　取消理由通知　　　　　　　　　平成１２年４月２０日
　訂正請求　　　　　　　　　　　平成１２年７月７日
　（平成１３年１月５日請求取下）
　訂正拒絶理由通知　　　　　　　平成１２年７月２８日
　手続補正　　　　　　　　　　　平成１２年１０月６日
　取消理由通知　　　　　　　　　平成１２年１０月２５日
　訂正請求　　　　　　　　　　　平成１３年１月５日
２．訂正の適否についての判断
　（１）訂正の内容
　訂正事項ａ：特許請求の範囲の請求項２を削除する。
　訂正事項ｂ：イ）明細書第２頁第５〜６行中の，「その中でその分けられ　た部品をその中で」を削除する。ロ）明細書第３頁第９行中の「第４の」
　を「第５の」に訂正する。ハ）明細書第３頁第２４行〜第４頁第９行を削
　除する。ニ）明細書第４頁第１５行中の「組み立てたてえるのてあって、
　」を「組み立てえるのてあって、」に訂正する。ホ）明細書第６頁第１
　３行中の「することがてきて循環ファン２を位置づけさせ得る換気乾燥機
　」を「することがてきる換気乾燥機」に訂正する。へ）明細書第６頁第
　１５行〜第７頁第１３行を削除する。ト）明細書第８頁第５行中の「換気
　ファン」を「循環ファン」に訂正する。チ）明細書第８頁第２０行中の
　「換気ファンと換気ファンとヒーターを備え」を「換気ファンとヒーター
　を備え」に訂正する。リ）明細書の符号の説明中の「１７換気ファン」を
　「１７換気ファンに接続したダクト」に訂正する。
　（２）訂正の目的の適否、新規事項の有無及び拡張・変更の存否
　　上記訂正事項ａは、請求項を削除するものてあって、特許請求の範囲の
　減縮に該当する。
　　上記訂正事項ｂハ）、へ）は、請求項２を削除することに伴い訂正する
　ものであって、明瞭でない記載の釈明に該当する。また、訂正事項ｂロ）
　、二）、ト）は、誤記の訂正に該当し、訂正事項ｂイ）、ホ）、チ）、
　リ）は、明瞭でない記載の釈明に該当する。
　そして、上記訂正事項は、新規事項の追加に該当せす、実質的に特許請
　求の範囲を拡張し、又は変更するものてはない。
　（３）むすび
　以上のとおりであるから、上記訂正は、特許法等の一部を改正する法律（平成６年法律第１１６号。以下、「平成６年改正法」という。）附則第６条第１項の規定によりなお従前の例によるとされる、特許法第１２０条の４第３項において準用する平成６年改正法による改正前の特許法第１２６条第１項ただし書き、第２項及び第３項の規定に適合するので、当該訂正を認める。
３．特許異議の申立てについての判断
　請求項２に係る発明は、訂正の結果削除され、特許異議の申立ての対象が
存在しないので、この特許異議の申立ては、不適法な申立てであって、その
補正をすることができないものである。
　したがって、本件特許異議の申立ては、特許法第１２０条の６第１項で準
用する同法第１３５条の規定によって却下すべきものである。
　よって、結論のとおり決定する。
【異議決定日】
平成１３年３月１４日（２００１．３．１４）
【訂正の要旨】
　本件訂正請求の要旨は、特許第２９３２４１６号の明細書を、平成１３年１月５日付け訂正請求書に添付した訂正明細書のとおりに訂正しようとするもので、その訂正の内容は、下記のとおりである。
　　　　　　　　　　　　　　　　　記
　訂正事項ａ：特許請求の範囲の請求項２を削除する。
　訂正事項ｂ：イ）明細書第２頁第５〜６行中の「その中でその分けられた部品をその中で」を削除する。
　　　　　　　ロ）明細書第３頁第９行中の「第４の」を「第５の」に訂正する。
　　　　　　　ハ）明細書第３頁第２４行〜第４頁第９行を削除する。
　　　　　　　ニ）明細書第４頁第１５行中の「組み立てたてえるのであって、」を「組み立てえるのであって、」に訂正する。
　　　　　　　ホ）明細書第６頁第１３行中の「することができて循環ファン２を位置づけさせ得る換気乾燥機」を「することができる換気乾燥機」に訂正する。
　　　　　　　へ）明細書第６頁第１５行〜第７頁第１３行を削除する。
　　　　　　　ト）明細書第８頁第５行中の「換気ファン」を「循環ファン」に訂正する。
　　　　　　　チ）明細書第８頁第２０行中の「換気ファンと換気ファンとヒーターを備え」を「換気ファンとヒーターを備え」に訂正する。
　　　　　　　リ）明細書の符号の説明中の「１７換気ファン」を「１７換気ファンに接続したダクト」に訂正する。
（５４）【発明の名称】
換気乾燥機
（５７）【特許請求の範囲】
　【請求項１】個別に用意された換気ファン１とヒーター１０を備えた循環ファン２のそれぞれを合体させて形成された両ファンからなる換気乾燥機を構成し、換気ファン１には吐き出し口３を設け、その換気ファン１の吐き出し口３のところにはダンパー１８を設け、循環ファン２の下流側に循環ファンの吐き出し口４を接続し、循環ファン２の下方部にヒーター１０を設け、天井板１３に開口部１５を設け、換気ファン１の支持枠体１１を設け、循環ファン２の支持枠体１４を設け、換気ファン１の支持枠体側案内路１９と循環ファン支持枠体側縦案内突起２０を設け、それらの各部品が別体の構成部材を天井板１３に設けた開口部１５を通過させ得る程度の大きさにしており、そこで、開口部１５を各部品を通過させて、天井板１３の内部で組み立て或いは分解し得るようにしてなる換気乾燥機。
【発明の詳細な説明】
　【０００１】
　【産業上の利用分野】
　本発明は、換気乾燥機とその換気乾燥機の使用方法に関し、特に、浴室、脱衣所、洗面所などの換気乾燥機として、換気乾燥機を部品に分けて、狭い開口部に部品の状態で挿入させ、その中の空間部で分けられた状態の部品を合体させて、浴室、脱衣所、洗面所などの換気乾燥機として使用し得るものであり、また、浴室、脱衣所、洗面所などの換気乾燥機として使用し得る使用方法に関する。
　【０００２】
　【従来の技術】
　従来から、一般の部屋ばかりでなく、浴室、脱衣所・洗面所などの部屋の中の温度・湿度が高い時に、特に、夏などの非常に暑い時にそれらの部屋の中に冷風を送り涼しくすることが行われてきた。また、冬などの非常に寒い時にそれらの部屋の中に温風を送り暖かくすることが行われてきた。また、湿度が高い時には、部屋の中の空気を部屋の外に排気して部屋の換気を行ってきた。さらに浴室を利用して洗濯した衣類などを乾燥させるために、その浴室内に温風を送り暖かくすることが行われてきた。また、浴室の中の空気を乾燥させるために、浴室内に温風を送り暖かくしてきた。また、浴室の中を乾燥させるために、浴室内に温風を送り、同時に換気も行い効率よい除湿を行ってきた。
　【０００３】
　【発明が解決しようとする課題】
　しかし、浴室、脱衣所、洗面所などの部屋で入浴時、脱衣時、洗面時などに使用する従来の換気乾燥機は、その構造は複雑であり、そして、従来の換気乾燥機の組み立てば難しく設置工事の手間がかかりすぎた。本発明は、これらの問題を解決することを第１の課題とする。また、従来の換気乾燥機は、その換気乾燥本体を定期点検またはその他の点検、故障などで分解し得るものではなかった。本発明は、これらの問題を解決することを第２の課題とする。また、ファンのモーターが故障などしても従来の換気乾燥機は、容易に分解し得るものではなかった。本発明は、容易に分解して修理をしこれらの問題を解決することを第３の課題とする。また、個々に用意された換気ファンと換気ファンとヒーターを備えた循環ファンのそれぞれを合体されて形成された両ファンからなる換気乾燥機本体を構成し、使用に際して、換気と乾燥との両機能を奏し得るようにし、故障などの場合、合体された両ファンを定期点検またはその他の点検、故障などで分解し得るようにするとともに両ファンを合体した換気乾燥機本体を定期点検またはその他の点検・故障などで分解し得るようにした換気乾燥機であることを第４の課題とする。また、前面パネルの中心部に循環ファンに備えたヒーターを位置させ、その循環ファン支持枠体と換気ファン支持枠体とを合体させ得るようにして、ヒーターの位置を常に適切な位置に設置した換気乾燥機を提供することを第
５
　【０００４】
　【課題を解決するための手段】
　本発明は、個別に用意された換気ファン１とヒータ１０を備えた循環ファン２のそれぞれを合体させて形成された両ファンからなる換気乾燥機を構成し、換気ファン１には吐き出し口３を設け、その換気ファン１の吐き出し口３のところにはダンパー１８を設け、循環ファン２の下流側に循環ファンの吐き出し口４を接続し、循環ファン２の下方部にヒーター１０を設け、天井板１３に開口部１５を設け、換気ファン１の支持枠体１１を設け、循環ファン２の支持枠体１４を設け、換気ファン１の支持枠体側案内路１９と循環ファン支持枠体側縦案内突起２０を設け、それらの各部品が別体の構成部材を天井板１３に設けた開口部１５を、通過させ得る程度の大きさにしており、そこで、開口部１５を各部品を通過させて、天井板１３の内部で組み立て或いは分解し得るようにしてなる換気乾燥機である。
　【０００５】　
　【作用】
　本発明は、個別に用意された換気ファンとヒーターを備えた循環ファンのそれぞれを合体させて形成された両ファンからなる換気乾燥機本体を構成したのであるから、個別に用意された換気ファンとヒーターを備えた循環ファンを合体させて組み立てえるのであって、狭い開口部を、まず、最初に換気ファンを通過させ、その後にヒーターを備えた循環ファンを狭い開口部内に嵌め込んで、その後に循環ファンに備えたヒーターを狭い開口部の中央部に位置させ得るようにしそして、使用に際して、換気と乾燥との両機能を奏し得るようにした換気乾燥機であるから、部屋の乾燥の際は、換気ファンの吐き出し口を閉鎖して換気ファンの作動を停止して、循環ファンを始動して、循環ファンに備えたヒーターを加熱して温風を部屋の中に供給して、部屋の中を乾燥し得るようにし、換気の際は、循環ファンを作動を停止し、循環ファンの吐き出し口を開放し換気ファンを始動して、その換気ファンに接続したダクトから部屋の中の空気を放出し得るようにし、そのようにして換気と乾燥の両機能を奏し得る。また、換気ファン１と循環ファン２のそれぞれを合体させて形成された両ファンからなり、換気ファン１には吐き出し口３を設け、その換気ファン１の吐き出し口３のところにはダンパー１８を設け、循環ファン２の下方に換気ファンの吐き出し口４を接続し、循環ファン２の下方部にヒーター１０を設け、天井板１３に開口部１５を設け、換気ファン１の支持枠体１１を設け、循環ファン２の支持枠体１４を設け、換気ファン１支持枠体側案内路１９と循環ファン支持枠体側縦案内突起２０を設け、それらの各部品が別体の構成部材を天井板１３に設けた開口部１５を通過させ得る程度の大きさにしており、そこで、開口部１５を各部品を通過させて、天井板１３の内部で組み立て或いは分解し得るようにしてなる換気乾燥機を構成してなる換気乾燥機である。
　また、本発明の換気乾燥機の使用方法は、部屋の乾燥の際は換気ファンの吐き出し口を閉鎖して換気ファンの作動を停止し循環ファンを始動して循環ファンに備えたヒーターを加熱して温風を部屋の中に供給して部屋の中を乾燥し得るようにし、換気の際は、循環ファンの作動を停止し換気ファンの吐き出し口を開放し換気ファンを始動してその換気ファンに接続したダクトから部屋の中の空気を放出し得るようにし、そのようにして、換気と乾燥との両機能を奏し得るようにしたのであり、換気乾燥機において換気ファンと循環ファンを同時回転させて除湿効率を高めながら衣類乾燥の時間短縮を可能にした換気乾燥機の使用方法であるとともに本発明は、個別に用意された換気ファンとヒーターを備えた循環ファンのそれぞれを合体させて形成された両ファンからなる換気乾燥機本体を構成し、使用に際して、換気と乾燥との両機能を奏し得るようにしたので、換気ファンと循環ファンを同時回転させて除湿効率を高めながら衣類乾燥の時間短縮を可能にした換気乾燥機の使用方法であるから、二つのモーターを使用したので比較的小型のモーターを使用し得る。また、二つのモーターを案内部材で連接させただけであるからきわめて近い位置に配置させることができて、前記二つのモーターおよび案内部材などの各部品が別体の構成部材であり、それを天井板１３に設けた開口部１５を通過させ得る程度の大きさにしており、そこで、開口部１５を各部品を通過させて、天井板１３の内部で組み立て或いは分解し得るようにしてなる換気乾燥機を構成してなるので、その換気乾燥機の修理も組み立て工事も容易にできるとともに分解も容易になし得る。
　【０００６】
　【実施例１】
　本発明は、個別に用意された換気ファン１とヒーター１０を備えた循環ファン２のそれぞれを合体させて形成された両ファンからなる換気乾燥機を構成し、換気ファン１には吐き出し口３を設け、その換気ファン１の吐き出し口３のところにはダンパー１８を設け、循環ファン２の下流側に循環ファンの吐き出し口４を接続し、循環ファン２の下方部にヒーター１０を設け、天井板１３に開口部１５を設け、換気ファン１の支持枠体１１を設け、循環ファン２の支持枠体１４を設け、換気ファン１の支持枠体側案内路１９と循環ファン支持枠体側縦案内突起２０を設け、それらの各部品が別体の構成部材を天井板１３に設けた開口部１５を通過させ得る程度の大きさにしており、そこで、開口部１５を各部品を通過させて、天井板１３の内部で組み立て或いは分解し得るようにしてなる換気乾燥機を構成してなる換気乾燥機であり、その換気ファン１に接続し、換気ファン１を組み立てて換気ファン１支持枠体側案内路１９を形成し、その換気ファン１支持枠体側案内路１９には循環ファン支持枠体側縦案内突起２０を結合させて、その内側に循環ファン２の支持枠体１４を挿入し、循環ファン２を適切な位置に位置づけすることができる換気乾燥機である。
　【０００７】
　【効果】　　
　本発明は、個別に用意された換気ファンとヒーターを備えた循環ファンのそれぞれを合体させて形成されだ両ファンからなる換気乾燥機本体を構成したのであるから、両ファンにより強力な送風をなし得る効果がある。また、ファン自体の小型化をなし得る効果がある。
　また個別に用意された換気ファンとヒ一ターを備えた循環ファンを合体させて組み立てたて得るのであって、狭い開口部から、まず、最初に換気ファンを通過させ、その後に、ヒーターを備えた循環ファンを狭い開口部内に嵌め込んで、その後に、循環ファンに備えたヒーターを狭い開口部の中央部に位置させ得るようにして、狭い開□部から、小さい部品を供給し、内部で組み立てをなし得る効果がある。
　そして、使用に際して、換気と乾燥との両機能を奏し得るようにした換気乾燥機であるから、部屋の乾燥の際は、換気ファンの吐き出し口を閉鎖して換気ファンの作動を停止し、循環ファンを始動して、循環ファンに備えたヒーターを加熱して温風を部屋の中に供給して、部屋の中を乾燥し得る効果がある。また、換気の際は、循環ファンを作動を停止して、循環ファンの吐き出し口を開放し換気ファンを始動して、その換気ファンに接続したダクトから部屋の中の空気を放出し得るようにし、そのようにして換気と乾燥の両機能を奏し得る効果がある。
　また、換気ファン１と循環ファン２のそれぞれを合体させて形成された両ファンからなり、換気ファン１の吐き出し口３を設け、その換気ファン１の吐き出し口３のところにダンパー１８を設け、循環ファン２の下方に循環ファンの吐き出し口４を接続し、循環ファン２の下方部にヒーター１０を設け、天井板１３に開口部１５を設け、換気ファン１の支持枠体１１を設け、循環ファン２の支持枠体１４を設け、換気ファン１支持枠体側案内路１９と循環ファン支持枠体側縦案内突起２０を設け、それらの各部品が別体の構成部材を天井板１３に設けた開口部１５を通過させ得る程度の大きさにしており、そこで、開口部１５を各部品を通過させて、天井板１３の内部で組み立て或いは分解し得る効果がある。
　また、本発明の換気乾燥機の使用方法は、部屋の乾燥の際は換気ファンの吐き出し口を閉鎖して換気ファンの作動を停止し循環ファンを始動して循環ファンに備えたヒーターを加熱して温風を部屋の中に供給して部屋の中を乾燥し得るようにし、換気の際は、循環ファンの作動を停止し換気ファンの吐き出し口を開放し換気ファンを始動してその換気ファンに接続したダクトから部屋の中の空気を放出し得るようにし、そのようにして、換気と乾燥との両機能を奏し得るようにしたのであり換気乾燥機轍において換気ファンと循環ファンを同時回転させて除湿効率を高めながら衣類乾燥の時間短縮を可能にした換気乾燥機の使用方法であるとともに本発明は、個別に用意された換気ファンとヒーターを備えた循環ファンのそれぞれを合体させで形成された両ファンからなる換気乾燥機本体を構成し、使用に際して、換気と乾燥との両機能を奏し得るようにしたので、換気ファンと循環ファンを同時回転させて除湿効率を高めなが弓衣類乾燥の時間短縮を可能にした換気乾燥機の使用方法であるから、二つのモーターを使用したので比較的小型のモーターを使用し得る効果がある。
　また、二つのモーターを案内部材で連接させただけであるからきわめて近い位置に配置させることができて、前記二つのモーターおよび案内部材などの各部品が別体の構成部材であり、それを天井板１３に設けた開口部１５を通過させ得る程度の大きさにしており、そこで、開口部１５を各部材を通過させて、天井板１３の内部で組み立て或いは分解し得るようにしてなる換気乾燥機を構成してなるので、その換気乾燥機の修理も組み立て工事も容易にできるとともに分解も容易になし得る効果がある。
【図面の簡単な説明】
　【図１】
　本発明を施した換気乾燥機の１実施例の縦断面図である。
　【符号の説明】
１　　換気ファン　　　　　　　　　　２　　循環ファン
３　　換気ファンの吐き出し口　　　　４　　循環ファンの吐き出し口
５　　換気ファンの吸い込み口　　　　６　　循環ファンの吸い込み口
７　　換気ファン用モーター　　　　　８　　循環ファン用モーター
９　　換気ファン用モーター支持体　　１０　循環ファンに備えたヒーター
１１　換気ファン支持枠体　　　　　　１２　循環ファン用モーター支持体
１３　天井板　　　　　　　　　　　　１４　循環ファン支持枠体
１５　天井板に設けた開口部　　　　　１６　開口部へのファン支持枠体係止部
１７　換気ファンに接続したダクト　　１８　換気ファンに設けた開口部
１９　換気ファン支持枠体側案内路　　２０　循環ファン支持枠体側縦案内突起
２１　前面パネル　　　　　　　　　　２２　前面パネルに設けた開口部